(57)【特許請求の範囲】
【請求項１】
固定部材と折り曲げ部材とから矩形のカードを形成し、前記カードの対角線上にボールペンの芯を固定し、前記ボールペンの芯を、前記固定部材と前記折り曲げ部材とで挟んで把持し、前記固定部材から外部に突出させた前記ボールペンの芯の先で字を書く又は絵を描くカード型簡易ボールペンにおいて、
前記固定部材又は前記折り曲げ部材の把持部に貫通孔を設け、前記カードの対角線上に両端を開口した溝を前記固定部材の上面に設けて、前記折り曲げ部材を折り返して、前記溝に嵌合させたボールペンの芯を押さえるようにしたことを特徴とするカード型簡易ボールペン。
【請求項２】
請求項１に記載のカード型簡易ボールペンであって、前記ボールペンの芯が互いに色が異なる２つの芯から形成されることを特徴とするカード型簡易ボールペン。
【請求項３】
請求項１又は請求項２に記載のカード型簡易ボールペンであって、前記固定部材又は折り曲げ部材が字又は絵を印刷できる材料を用いたことを特徴とするカード型簡易ボールペン。
【請求項４】
請求項１から請求項３のうちの何れか１項に記載のカード型簡易ボールペンであって、名刺サイズのケースに収納可能の大きさであることを特徴とするカード型簡易ボールペン。
【発明の詳細な説明】
【０００１】
【発明の属する技術分野】
本発明は、カード型簡易ボールペンに関し、更に詳しくは、ボールペンの芯を固定部材と折り曲げ部とで好適に把持できるカード型簡易ボールペンに関する。
【０００２】
【従来の技術】
従来のボールペンは、形状が棒状であり、メモ用紙や小型の手帳とは別々に携帯しなくてはならない為、旅行や出張中に紛失しやすく、いざ使用しようとすると紛失して手元にないため不便であった。
また、このような不便さを解決するためボールペンの芯をカードに固定したカード型の簡易ボールペンが開示されている。
【０００３】
【発明が解決しようとする課題】
しかしながら、従来開示されているカード型簡易ボールペンは、固定部材と折り曲げ部材とを蝶番で連結したり、ボールペンの芯を伸縮自在のものにしたりするため構造が複雑になり、製造工程数が多くなるのでコスト高となってしまうという問題があった。
また、図３（ａ）に示すように、構造が簡単なカード型簡易ボールペン１００もあるが、このような従来のカード型簡易ボールペン１００は、字を書く又は絵を描くときに、図３（ｂ）に示すようにボールペンの芯１０１Ａを固定部材１００Ａと折り曲げ部材１００Ｂとで挟み、把持部１０２を指でつまんで片手で把持するが、前記芯１０１Ａを両側から確実に把持しようとしても把持部１０２の面積が大きいため（把持力を受ける面積が大きいため）把持部１０２に大きな力を加えられず、その結果、ボールペンの芯１０１Ａを確実に把持するのが難しかった。
また、ボールペンの芯１０１は、図３（ａ）及び図３（ｂ）に示すように、固定部材１００Ａの表面に粘着テープ等で貼り付けて固定されていたため、固定部材１００Ａと折り曲げ部材１００Ｂとでボールペンの芯１０１Ａを挟んで把持したときに、芯１０１Ａが表面上を動いてしまうため安定して字を書いたり絵を描くことができなかった。
【０００４】
本発明は、前記課題を解決するためになされたものであって、構造が簡単でボールペンの芯を固定部材と折り曲げ部材とで確実に把持できるカード型簡易ボールペンを提供することを目的とする。
【０００５】
【課題を解決するための手段】
前記課題を解決するためになされた請求項１に記載されたカード型簡易ボールペンは、固定部材と折り曲げ部材とから矩形のカードを形成し、前記カードの対角線上にボールペンの芯を固定し、前記ボールペンの芯を、前記固定部材と前記折り曲げ部材とで挟んで把持し、前記固定部材から外部に突出させた前記ボールペンの芯の先で字を書く又は絵を描くカード型簡易ボールペンにおいて、前記固定部材又は前記折り曲げ部材の把持部に貫通孔を設け、前記カードの対角線上に両端を開口した溝を前記固定部材の上面に設けて、前記折り曲げ部材を折り返して、前記溝に嵌合させたボールペンの芯を押さえるようにしたことを特徴とするものである。
【０００６】
請求項１に記載された発明によると、固定部材と折り曲げ部材とから矩形のカードを形成し、前記カードの対角線上にボールペンの芯を固定し、前記ボールペンの芯を、前記固定部材と前記折り曲げ部材とで挟んで把持し、前記固定部材から外部に突出させた前記ボールペンの芯の先で字を書く又は絵を描くカード型簡易ボールペンにおいて、前記固定部材又は前記折り曲げ部材の把持部に貫通孔を設け、前記カードの対角線上に両端を開口した溝を前記固定部材の上面に設けて、前記折り曲げ部材を折り返して、前記溝に嵌合させたボールペンの芯を押さえるようにしたことにより、
（１）前記貫通孔に指を挿入して把持すれば把持部の面積が低減でき外部から把持部に大きな把持力を加えることができる。
（２）また、ボールペンの芯を固定部材と折り曲げ部材で確実に把持できるようになる。
その結果、安定して字を書いたり絵が描けるようになる。
【０００７】
請求項２に記載されたカード型簡易ボールペンは、請求項１に記載のカード型簡易ボールペンであって、前記ボールペンの芯が互いに色が異なる２つの芯から形成されることを特徴とするものである。
【０００８】
請求項２に記載された発明によると、請求項１に記載のカード型簡易ボールペンにおいて、前記ボールペンの芯を互いに色が異なる２つの芯から形成することにより、字を書いたり絵を描く時に色違いにすることで違いを識別できるので便利である。
【０００９】
請求項３に記載されたカード型簡易ボールペンは、請求項１又は請求項２に記載のカード型簡易ボールペンであって、前記固定部材又は折り曲げ部材が字又は絵を印刷できる材料を用いたことを特徴とするものである。
【００１０】
請求項３に記載された発明によると、請求項１又は請求項２に記載のカード型簡易ボールペンにおいて、カード型簡易ボールペンを構成する固定部材又は折り曲げ部材として字又は絵を印刷できる材料を用いることにより、カード型簡易ボールペンに印刷をすれば広告・宣伝効果が得られる。
【００１１】
請求項４に記載されたカード型簡易ボールペンは、請求項１から請求項３のうちの何れか１項に記載のカード型簡易ボールペンであって、名刺サイズのケースに収納可能の大きさであることを特徴とするものである。
【００１２】
請求項４に記載された発明によると、請求項１から請求項３のうちの何れか１項に記載のカード型簡易ボールペンにおいて、前記カード型簡易ボールペンを名刺サイズのケースに入れて常に携帯・保護することができるため、ボールペンの紛失を防ぐことができると共にカード型簡易ボールペンの固定部材及び折り曲げ部材の寿命も延びる。
【００１３】
【発明の実施の形態】
本発明に係るカード型簡易ボールペンの実施の形態について図１及び図２を参照して説明する。
図１（ａ）は、本発明に係るカード型簡易ボールペンの第１実施形態を示す全体斜視図、図１（ｂ）は、図１（ａ）の固定部材と折り曲げ部材とでボールペンの芯を挟んで片手で把持する前の状態を示す図である。
また、図２（ａ）は、本発明に係るカード型簡易ボールペンの第２実施形態を示す全体斜視図、図２（ｂ）は、図１（ａ）の固定部材と折り曲げ部材とでボールペンの芯を挟んで片手で把持する前の状態を示す図である。
【００１４】
最初に、図１を参照して本発明に係るカード型簡易ボールペンの第１実施形態について説明する。
第１実施形態のカード型簡易ボールペンの形状は、図１に示すように、
５角形の固定部材１Ａと直角三角形の折り曲げ部材１Ｂとから形成される矩形をしている（以下、カードという）。前記固定部材１Ａと前記折り曲げ部材１Ｂは粘着テープで連結されている。尚、大きさは略名刺の大きさをしている。
前記カードの対角線上には両端を開口した１本の溝１Ｃが前記固定部材１Ａの上面に設けられており、ボールペンの芯２がこの溝１Ｃに固定される。溝１Ｃの断面形状は、ボールペンの芯２の径以上の大きさの溝であれば形状は角溝でも丸溝でも良い。
溝１Ｃにボールペンの芯２を固定する方法は、ボールペンの芯２を動かないように溝１Ｃに嵌合させ、例えば上方から粘着テープ等により貼り付けることで固定部材１Ａに固定することができる。
【００１５】
溝１Ｃにボールペンの芯２を固定する望ましい方法としては、前記カードの全面（上面）をラミネートフィルムで被覆するのが望ましい。本実施の形態では、例えばポリプロピレンのフィルムを使用してカードの全面（上面）を被覆するようにしている。
このようにカードの全面（上面）をラミネートフィルムで被覆することにより、固定部材１Ａと折り曲げ部材１Ｂを連結できると共に前記ボールペンの芯２を溝１Ｃにさらに確実に嵌合させて固定することができる。
【００１６】
カード型簡易ボールペンのボールペン芯２は、本実施形態では、図１に示すように、単色であるが、図２に示すように互いに色が異なる２つの芯１１Ａ、１１Ｂを両端を開口した1本の溝１０Ｃに嵌合させて使用しても良い。
このようにボールペンの芯２として互いに色が異なる２つの芯１１Ａ、１１Ｂを使用すれば、字を書いたり絵を描く時に色違いにすることで違いを識別できるので便利である。
【００１７】
また、固定部材１Ａの把持部には、貫通孔１Ｄが設けられている。貫通孔１Ｄは、１本以上指が入る大きさであれば、孔の形状にはこだわらない。尚、貫通孔１Ｄは、固定部材１Ａ及び折り曲げ部材１Ｂ両方の把持部に設けてもよい。
このように貫通孔１Ｄを設けたことにより、把持部の把持力を受ける面積が低減できると共に貫通孔１Ｄに指を挿入して把持すれば外部から把持部に大きな把持力を加えることができるので、ボールペンの芯２を固定部材１Ａと折り曲げ部材１Ｂとで確実に把持できるようになる。従って、安定して字を書いたり絵が描けるようになる。
【００１８】
尚、カード型簡易ボールペン１を構成する固定部材１Ａ又は折り曲げ部材１Ｂは、字又は絵を印刷できる材料が用いられる。
カード型簡易ボールペン１を構成する固定部材１Ａ又は折り曲げ部材１Ｂに字又は絵を印刷できる材料を用いたことにより、カード型簡易ボールペンに印刷をすれば広告・宣伝効果が得られる。
【００１９】
また、カード型簡易ボールペン１の大きさは、略名刺サイズの大きさをしている。
略、略名刺サイズの大きさにしたことにより、名刺サイズのケース（例えば塩化ビニル製のケース）に入れて常に携帯・保護することができるため、ボールペンの紛失を防ぐことができると共にカード型簡易ボールペン１の固定材料１Ａ及び折り曲げ材料１Ｂの寿命も延びる。
【００２０】
次に、図２を参照して本発明に係るカード型簡易ボールペンの第２実施形態について説明する。
第１実施形態のカード型簡易ボールペンと第２実施形態のカード型簡易ボールペンとの構成の大きな違いは、図２に示すように、
（１）ボールペンの芯として、互いに色が異なる２つのボールペンの芯１１Ａ、１１Ｂを１本の溝１０Ｃに嵌合させて使用している点。
（２）貫通孔１０Ｄを固定部材１０Ａだけでなく折り曲げ部材１０Ｂにも設けた点。
である。
【００２１】
第２実施形態のカード型簡易ボールペンの形状は、図２に示すように、
５角形の固定部材１０Ａと直角三角形の折り曲げ部材１０Ｂとから形成される矩形をしている（以下、カードという）。前記固定部材１０Ａと前記折り曲げ部材１０Ｂは粘着テープで連結されている。尚、大きさは略名刺の大きさをしている。
前記カードの対角線上には両端を開口した1本の溝１０Ｃが前記固定部材１０Ａの上面に設けられており、互いに色が異なる２つのボールペンの芯１１Ａ、１１Ｂがこの溝１０Ｃに固定される。溝１０Ｃの断面形状は、２つのボールペンの芯１１Ａ、１１Ｂそれぞれの径以上の大きさの溝１０Ｃであれば形状は角溝でも丸溝でも良い。
【００２２】
このように互いに色が異なる２つのボールペンの芯１１Ａ、１１Ｂを用いることにより、字を書いたり絵を描く時に色違いにできるので違いを簡単に識別できるので便利である。
【００２３】
溝１０Ｃに２つのボールペンの芯１１Ａ、１１Ｂを固定する方法は、ボールペンの芯１１Ａ、１１Ｂのそれぞれを動かないように溝１０Ｃに嵌合させ、例えば上方から粘着テープ等を貼り付けることで固定部材１０Ａに固定することができる。
【００２４】
溝１０Ｃに２つのボールペンの芯１１Ａ、１１Ｂを固定する望ましい方法としては、前記カードの全面（上面）をラミネートフィルムで（例えばポリプロピレンのフィルムで）被覆するのが望ましい。
このようにカードの全面（上面）をラミネートフィルムで被覆することにより、固定部材１０Ａと折り曲げ部材１０Ｂを連結できると共に２つのボールペンの芯１１Ａ、１１Ｂを溝１０Ｃにさらに確実に嵌合させて固定することができる。
【００２５】
また、固定部材１０Ａの把持部には、貫通孔１０Ｄが設けられている。貫通孔１０Ｄは、固定部材１０Ａ及び折り曲げ部材１０Ｂ両方の把持部に設けられる。
孔の大きさは、１本以上指が入る大きさであれば、孔の形状にはこだわらない。
このように貫通孔１Ｄを設けたことにより、把持部の把持力を受ける面積が低減できると共に貫通孔１Ｄに指を挿入して把持すれば外部から把持部に大きな把持力を加えることができるので、２つのボールペンの芯１１Ａ、１１Ｂを固定部材１０Ａと折り曲げ部材１０Ｂとで確実に把持できるようになる。従って、安定して字を書いたり絵が描けるようになる。
【００２６】
以上、第１実施形態のカード型簡易ボールペン及び第２実施形態のカード型簡易ボールペンについて説明したが、本発明に係るカード型簡易ボールペンはこれに限定されるものでなく、本発明の技術的範囲を逸脱しない範囲で適宜変更して実施可能である。
例えば本実施形態では、打ち抜きした厚紙を使ってカード型簡易ボールペンを形成したが、簡単に折り曲げることができるプラスチックや布を用いて同じ構成・作用を有するカード型簡易ボールペンを形成しても良い。
【００２７】
【発明の効果】
以上の構成と作用からなる本発明によれば以下の発明の効果が得られる。
１）請求項１に記載の発明によれば、固定部材と折り曲げ部材とから矩形のカードを形成し、前記カードの対角線上にボールペンの芯を固定し、前記ボールペンの芯を、前記固定部材と前記折り曲げ部材とで挟んで把持し、前記固定部材から外部に突出させた前記ボールペンの芯の先で字を書く又は絵を描くカード型簡易ボールペンにおいて、前記固定部材又は前記折り曲げ部材の把持部に貫通孔を設け、前記カードの対角線上に両端を開口した溝を前記固定部材の上面に設けて、前記折り曲げ部材を折り返して、前記溝に嵌合させたボールペンの芯を押さえるようにしたことにより、
（１）前記貫通孔に指を挿入して把持すれば把持部の面積が低減でき外部から把持部に大きな把持力を加えることができる。
（２）また、ボールペンの芯を固定部材と折り曲げ部材で確実に把持できるようになる。
その結果、安定して字を書いたり絵が描けるようになる。
２）請求項２に記載の発明によれば、請求項１に記載のカード型簡易ボールペンにおいて、前記ボールペンの芯を互いに色が異なる２つの芯から形成することにより、字を書いたり絵を描く時に色違いにすることで違いを識別できるので便利である。
３）請求項３に記載の発明によれば、請求項１又は請求項２に記載のカード型簡易ボールペンにおいて、カード型簡易ボールペンを構成する固定部材又は折り曲げ部材として字又は絵を印刷できる材料を用いることにより、カード型簡易ボールペンに印刷をすれば広告・宣伝効果が得られる。
４）請求項４に記載の発明によれば、請求項１から請求項３のうちの何れか１項に記載のカード型簡易ボールペンにおいて、前記カード型簡易ボールペンを名刺サイズのケースに入れて常に携帯・保護することができるため、ボールペンの紛失を防ぐことができると共にカード型簡易ボールペンの固定部材及び折り曲げ部材の寿命も延びる。
【図面の簡単な説明】
【図１】  （ａ）本発明に係るカード型簡易ボールペンの第１実施形態を示す全体斜視図である。
（ｂ）図１（ａ）の固定部材と折り曲げ部材とでボールペンの芯を挟んで片手で把持する前の状態を示す図である。
【図２】  （ａ）本発明に係るカード型簡易ボールペンの第２実施形態を示す全体斜視図である。
（ｂ）図１（ａ）の固定部材と折り曲げ部材とでボールペンの芯を挟んで片手で把持する前の状態を示す図である。
【図３】  （ａ）従来のカード型簡易ボールペンの１実施形態を示す全体斜視図である。
（ｂ）図３（ａ）の固定部材と折り曲げ部材とでボールペンの芯を挟んで片手で把持する前の状態を示す図である。
【符号の説明】
１、１０                カード型簡易ボールペン
１Ａ、１０Ａ            固定部材
１Ｂ、１０Ｂ            折り曲げ部材
１Ｃ、１０Ｃ            溝
１Ｄ、１０Ｄ            貫通孔
２、１１Ａ、１１Ｂ      ボールペンの芯
２Ａ、１１Ｃ、１１Ｄ    芯の先
【図１】
0003753032.tif 000002
【図２】
0003753032.tif 000003
【図３】
0003753032.tif 000004